(57)【要約】      （修正有）【課題】綱の摩擦が生じ易い箇所を部分的に補強することにより、操作性を維持しながら、効果的に耐久性を向上した漁網を提供する。【解決手段】両端部に輪形状の輪状部４ａ、４ｂを形成した綱部材３と、該綱部材を縁部に取り付けた網地２とを有する漁網１であって、前記輪状部が、前記綱部材を構成するロープ８Ａ、８Ｂの端部に筒状の編組体５Ａ、５Ｂを挿通した状態で、該編組体と共に前記ロープの端部を輪形状としたものであり、前記編組体が、平目状又は綾目状に紐部材を編み組んで筒状に形成したものにより構成した。【選択図】図１
0003157387.tif 000002
【実用新案登録請求の範囲】
【請求項１】
両端部に輪形状を形成した綱部材と、該綱部材を縁部に取り付けた網地とを有する漁網であって、
前記輪状部が、前記綱部材を構成するロープの端部に筒状の編組体を挿通した状態で、該編組体と共に前記ロープの端部を輪形状としたものであり、
前記編組体が、平目状又は綾目状に紐部材を編み組んで筒状に形成したことを特徴とする漁網。
【請求項２】
前記綱部材が、直線状に連結した複数の単位綱部材からなり、前記単位綱部材の連結部分を構成する単位綱部材の端部にも前記輪状部を形成した請求項１記載の漁網。
【請求項３】
前記ロープの途中部に、前記編組体を挿通固定し、該編組体に水面に浮かぶ浮子を取り付けた請求項１又は２の何れかに記載の漁網。
【請求項４】
前記編組体が紐状の結束具を用いて前記ロープに固縛されてなる請求項１〜３の何れか１項に記載の漁網。
【請求項５】
前記編組体を構成する前記紐部材の単又は複数本の色を変えることで、前記編組体の内径サイズを示すものとした請求項１〜４の何れか１項に記載の漁網。
【請求項６】
前記編組体が防藻剤を含有する繊維からなる請求項１〜５の何れか１項に記載の漁網。
【考案の詳細な説明】
【技術分野】
【０００１】
本考案は漁業で用いる漁網に関するものであり、より詳しくは、簡易な構成で耐摩擦性や耐摩耗性を部分的に高め、漁網としての耐久性を向上する漁網に関するものである。
【背景技術】
【０００２】
従来、耐久性を向上する目的で改良された漁網として、比重３以上の非鉛系無機微粒子を５０〜８５重量％含有する、比重が１以上である熱可塑性ポリマーを芯成分とし、ポリエステルを鞘成分として複合紡糸し、加熱延伸した後に、芯成分の熱可塑性ポリマーの（融点または軟化点−６０）℃以上、鞘成分のポリエステルの（融点または軟化点−１０）℃以下の温度で熱処理を施すことを特徴とする複合繊維の製造方法により製造したものが提案されている（例えば、特許文献１）。
【０００３】
特許文献１記載の発明は、高比重と高強度を兼ね備えた産業資材用途に好適な複合繊維に関し、とくに海洋環境汚染の問題もなく、耐久性に優れた漁網用に好適な複合繊維に関するものであり、上記構成により、特定の無機微粒子が高添加された芯成分とポリエステルからなる鞘成分による複合繊維を得ることにより、従来にない高強力と高比重を兼ね備え、しかも定置網用繊維として公害問題がなく、かつ好適な色相を有した複合繊維とすることができる。
【０００４】
しかしながら、特許文献１記載の発明は、主に繊維の引張強度を向上し、漁網の耐久性の向上を図ったものである。ここで、一般的な漁網は、波浪、風、潮流により常に起こる網の上下動による綱の結束箇所及び浮子の接触箇所の摩耗が原因となり綱が破断することが多い。また、船体側の巻取装置により巻き取られる際、漁網の綱は船体側のフェアリーダー等にガイドされるが、このフェアリーダーと綱との間に大きな摩擦力が作用し、綱の連結部分等ではさらに大きな摩擦が生じ、綱破断の一つの原因となっている。このため、特許文献１のように、繊維の引張強度を向上しても綱の摩耗を防止することはできておらず、結果、フェアリーダーとの摩擦により綱が摩耗し破断することを防止できない。
また、特許文献１記載の発明は、漁網を構成する繊維を特定の製造方法により得ることで、漁網の耐久性の向上を図ったものであり、この繊維を漁網の全部又は大部分に使用することで、その効果が発揮される。よって、使用中に大きな摩擦を受ける箇所であるか否かに関わらず、漁網全体の強度を上げることとなるため、漁網の大きさに比例して高価なものになる。
【先行技術文献】
【特許文献】
【０００５】
【特許文献１】特開２００２−３７１４３５号公報
【考案の概要】
【考案が解決しようとする課題】
【０００６】
そこで、本考案は、綱の摩擦が生じ易い箇所のみを部分的に補強することにより、操作性を維持しながら、効果的に耐久性を向上でき、安価に実施可能な漁網を提供する点にある。
【課題を解決するための手段】
【０００７】
上述の課題を解決するために、本考案に係る漁網は、両端部に輪形状を形成した綱部材と、該綱部材を縁部に取り付けた網地とを有する漁網であって、前記輪状部が、前記綱部材を構成するロープの端部に筒状の編組体を挿通した状態で、該編組体と共に前記ロープの端部を輪形状としたものであり、前記編組体が、平目状又は綾目状に紐部材を編み組んで筒状に形成したもことを特徴とするものである。
【０００８】
ここで、前記綱部材が、直線状に連結した複数の単位綱部材からなり、前記単位綱部材の連結部分を構成する単位綱部材の端部にも前記輪状部を形成することが好ましい実施の形態である。
【０００９】
さらに、前記ロープの途中部に、前記編組体を挿通固定し、該編組体に水面に浮かぶ浮子を取り付けると好ましい実施の形態である。
【００１０】
さらにまた、前記編組体が紐状の結束具を用いて前記ロープに固縛されてなることが好ましい。
【００１１】
また、前記編組体を構成する前記紐部材の単又は複数本の色を変えることで、前記編組体の内径サイズを示すものとすることができる。
【００１２】
さらに、前記編組体が防藻剤を含有する繊維からなることが好ましい。
【考案の効果】
【００１３】
本考案に係る漁網によれば、編組体は平目状又は綾目状に編み組まれて構成されることにより、柔軟性を有するとともに、長さを縮めると内径が大きくなるものである。このため、編組体をロープに取り付ける際、編組体を取付位置に移動させるときには当該編組体を短くすることで内径を大きくしてロープとの係合を無くし又は小さいものとして、容易に移動させることができる。よって、耐久性ある漁網の仕立て作業を容易なものとすることができる。
また、輪形状であるロープの連結部分に編組体を取り付けても皺等を生じない。このため、皺部分に偏摩耗が生じ、耐久性が著しく悪くなることもない。
漁網の綱に部分的に設けるだけでよいので、綱全体を耐摩擦性や耐磨耗性に優れた素材用いる場合と比較して、格段に安価に実施できる。
さらに、編組体として、摺動性に優れた材料からなるものを用いることで、編組体とロープとの摺動部におけるロープの磨耗を防止して、輪状部におけるロープの破断を効果的に防止できる。
さらにまた、柔軟且つ耐磨耗性に優れた材料であって滑り易い材料により、編組体５Ａ、５Ｂを形成することで摩擦が生じ難い構成とし、より耐久性を高くすることができる。
【００１４】
また、前記綱部材が、直線状に連結した複数の単位綱部材からなり、前記単位綱部材の連結部分を構成する単位綱部材の端部にも前記輪状部を形成したものによれば、綱部材同士の連結部分においてローブが部分的に摩耗することを防止でき、綱部材の耐久性を向上することができる。
【００１５】
さらに、波の影響を受けやすい浮子と波の影響を受けにくい網地との連結部分には、この波による負荷が大きく、また、波は限りなく繰り返されるため、この連結部分が破断することが多い。そこで、前記ロープの途中部に、前記編組体を挿通固定し、該編組体に水面に浮かぶ浮子を取り付けたものによれば、前記連結部分のみを補強することでロープの耐久性を効果的に向上し、漁網を長期間安定して使用することができる。
また、浮子の取付時の位置決めを容易に行うことができる。
【００１６】
さらにまた、前記編組体が紐状の結束具を用いて前記ロープに固縛されてなるものであれば、編組体をロープに対して簡易に固定することができ、これにより、ロープ同士の連結部分及びロープと浮子との連結部分を確実に保護し続けることができる。
また、使用中の波の影響により、ロープに対する浮子の取付位置がズレることを防ぐことができる。
【００１７】
この上、前記編組体を構成する前記紐部材の単又は複数本の色を変えることで、前記編組体の内径サイズを示すものとすれば、別途表示部を設けなくてもロープに取り付ける前の編組体のサイズを表示することができ、編組体をロープに取り付ける作業が容易且つ確実となる。
また、取り付けたあとは、漁網を識別し易く、用途に合わせた漁網の選択が容易となる。
【００１８】
さらにこの上、前記編組体が防藻剤を含有する繊維からなるものであれば、海中で使用している間に藻や貝が付着することを抑止することができ、結果、漁網の耐久性を向上することができる。
【図面の簡単な説明】
【００１９】
【図１】本考案の実施形態に係る漁網の輪状部付近の構成を示す説明図である。
【図２】本考案の実施形態に係る漁網の編組体付近の構成を示す要部拡大図である。
【図３】本考案の実施形態に係る編組体の構成を示す説明図であり、（ａ）は綾目状編込みによる編組体を示す説明図、（ｂ）は平目状編込みによる編組体を示す説明図である。
【考案を実施するための形態】
【００２０】
次に、本考案の実施形態を添付図面に基づいて説明するが、本考案は添付図面に示された形態に限定されず、特許請求の範囲に記載の要件を満たす実施形態の全てを含むものである。
【００２１】
図１に示すように、本実施形態に係る漁網１は、網地２の上端部の枠綱２Ａに固定用紐７Ａを用いて綱部材３を固定したものであり、綱部材３は両端部に輪状部４ａ、４ａを有する単位綱部材４Ａ、４Ｂを連結して構成される。また、単位綱部材４Ａ、４Ｂの連結部分に紐を綾目に編み組んで形成した編組体５Ａを設け、単位綱部材４Ａ、４Ｂの浮子６の取付部分に紐を綾目に編み組んで形成した編組体５Ｂを設けることで、大きな負荷のある部分の耐久性を向上し、結果、漁網としての取扱易さを維持した状態で耐久性を向上している。
【００２２】
網地２は、ポリエチレン系の合成繊維によりなる索を格子状に結節して編み目を作ることにより構成している。網地２の上側縁部には、太めの紐よりなる枠綱２Ａを設け、網地２の上端部を補強し、枠綱２Ａには固定用紐７Ａを用いて綱部材３が取り付けられている。
なお、網地２の素材に関しては、ポリエチレン系の合成繊維に限られず、他の合成繊維、例えば、ポリアミド系やポリエステル系等、又は、天然繊維等を用いてもよいが、今回は耐久性を重視して上記素材を選択した。
【００２３】
綱部材３は、複数本の単位綱部材４Ａ、４Ｂ、・・・の両端部の輪状部４ａ、４ｂ、・・・を連結して直線状とすることで形成する。
この綱部材３を製造する際には、まず、単位綱部材４Ａ、４Ｂ、・・・のロープ８Ａ、８Ｂ、・・・の両端部に編組体５Ａ、５Ｂ、・・・を挿通し、このロープ８Ａ、８Ｂの両端部を編組体５Ａ、５Ｂと共に輪形状とし、ロープ８Ａ、８Ｂの端部をロープ８Ａ、８Ｂの端部付近に編込んで輪状部４ａ、４ｂを形成し、編組体５Ａ、５Ｂの両端部をロープ８Ａ、８Ｂに固定用紐７Ｂを用いて固定する。次に、これらの輪状部４ａ、４ｂを固定用紐７Ｃを用いて直線状に連結して綱部材３を構成する。
この構成により、波浪等により常に起こる網の上下動による綱の結束箇所及び浮子の接触箇所の摩耗によっても、綱が破断し難い。また、漁網１の取入れ作業を行う際、漁船に設けたフェアリーダーを介して巻上装置により綱部材３を強く巻き上げることにより生じる単位綱部材４Ａ、４Ｂ、・・・間の摩擦によっても、当該連結部分が破断し難い。
【００２４】
単位綱部材４Ａ、４Ｂは、両端部に位置する輪状部４ａ、４ｂ以外のロープ８Ａ、８Ｂの途中部に、編組体５Ｂが挿通固定され、当該編組体５Ｂに浮子６が固定用紐７Ｄにより固縛されている。当該編組体５Ｂは、輪状部４ａ、４ｂを形成する前の単位綱部材４Ａ、４Ｂとなるロープ８Ａ、８Ｂに必要数挿通して、浮子６の取付箇所で編組体５Ｂの両端部を固定用紐７Ｂで固縛する。この固縛された編組体５Ｂに浮子６を固定用紐７Ｄで固縛すると、浮子６は編組体５Ｂを介して綱部材３に固定されることとなる。
なお、綱部材３は、ポリプロピレン系の合成繊維としたが、他の合成繊維、例えば、ポリエチレン系、ポリアミド系やポリエステル系等、又は、天然繊維等を用いてもよいが、今回は耐久性を重視して上記素材を選択した。
【００２５】
編組体５Ａ、５Ｂは、合成繊維の集合体であるストランドの２本２４組が半数ずつ左右方向に回りながら互いのストランド間を上下にくぐり抜けて、平目又は綾目に編組されて構成されるものであって、ストランドは織物における経糸、緯糸を兼ねている。従って長さ方向に縮めれば太くなり、引っ張れば細くなる性質を持っているので、使用中の綱部材３の伸縮、屈曲に良く追随し、突っ張りも緩みも生じない。そして構成するストランド数、編みピッチ（編目の長さ）によって芯の中空部の大きさを変化させ得ると共に、ストランドの太さによって厚みを変化させることもできる。このようにして作られた筒状の編組体５Ａ、５Ｂは綱部材３の保護材として必要とされる特性、即ち、長さ方向の伸縮性、柔軟性、曲げたとき内側に皺が寄り難いこと、綱部材３の凹凸に良くフィットすること、綱部材３の太さに適合した中空部が選べること、用途別の耐摩耗性に適した厚さの調整ができること等を備えている。
【００２６】
また、綱部材３への装着方法において、連結部分の保護材を筒状とすると綱部材３の長さ方向への移動防止させることが難しかったが、編組体５Ａ、５Ｂの端末をロープ８Ａ、８Ｂに差し込み、挿通固定することで、完全な移動防止が可能となった。そして上記作業が迅速化されたため、加工費が低減され経済的なメリットも得られた。
【００２７】
さらに、より詳細な構成においては、紐を綾目状に編み組んで筒状に形成して編組体５Ａ、５Ｂを構成している。これにより、編組体５Ａ、５Ｂはより高い柔軟性を有し、綱部材３に合わせて動くことができ、また、単位綱部材４Ａ、４Ｂの連結部分で輪形状としても皺が出来ないため、漁網１の操作性を下げず、部分的な強度を向上する。また、紐が形成する編組体５Ａ、５Ｂの内面の凹凸が綱部材３の外周面における紐の凹凸に係合し、編組体５Ａ、５Ｂが綱部材３の取付位置からズレることを防止することができる。さらに、編組体５Ａ、５Ｂの長さを縮めるように変形させると、これに応じて外径及び内径が大きくなる。このため、綱部材３に対する編組体５Ａ、５Ｂの取付の際、編組体５Ａ、５Ｂの綱部材３挿通時、又は編組体５Ａ、５Ｂの綱部材３に対する位置決め時に編組体５Ａ、５Ｂの内径を大きくして編組体５Ａ、５Ｂの綱部材３に対する係合を解除、又は小さくし、編組体５Ａ、５Ｂを綱部材３に対して移動させることができる。また、編組体５Ａ、５Ｂの編み組みを綾目状とすることで、紐が平行に２本一組で配置されるため、外力による摩擦が分散し易く、より耐久性を向上している。
【００２８】
また、編組体５Ａ、５Ｂを構成する紐の１本の色を他の部分を構成する紐の色である黒色と異なる色である黄色とすることで編組体５Ａ、５Ｂの適応サイズを示している。このため、綱部材３に対する編組体５Ａ、５Ｂの取付作業が、迅速且つ確実に行うことができ、編組体５Ａ、５Ｂの内面が綱部材３の外周面に係合する効果を確実に発揮させることができる。
【００２９】
さらに、編組体５Ａ、５Ｂは、上記構成により、ロープ８Ａ、８Ｂの外周面と編組体５Ａ、５Ｂの外周面との間で形成される段差を小さいものとすることができるため、漁網１の船体側への取付作業、及び漁網１の繰出し又は巻取り作業を容易に行うことができる。
なお、編組体５Ａ、５Ｂは、網地２と同様に、ポリエチレン系の合成繊維としたが、他の合成繊維、例えば、ポリアミド系やポリエステル系等、又は、天然繊維等を用いてもよいが、今回は耐久性を重視して上記素材を選択した。
また、本実施形態では綱部材３に直接編組体５Ａ、５Ｂを挿通固定して使用したが、これらの間に用途に応じて摺動性を調整するためのシート等を介装させて固定してもよい。これにより、部分的な補強効果をより高めることができる。
【００３０】
ここで、漁網１は使用中に藻や貝等が付着することが多く、これらが原因で耐久性が著しく低下することもあったため、網地２、綱部材３、編組体５若しくは固定用紐７、又はこれらの複数部材に防藻作用のある防藻剤を含有させて構成すると漁網１としてより好適となる。
【００３１】
なお、本実施形態において、編組体５Ａ、５Ｂは綾目状に編み組むことでより柔軟性のあるものとしたが、図３（ｂ）に示すように、平目状に編み組むことでより簡易な構造として安価に構成してもよい。
また、編組体５Ａ、５Ｂは、実施形態のように、単位綱部材４Ａ、４Ｂの連結部分、綱部材３と浮子６との連結部分にのみ用いるものでなく、例えば、沈子等の他の部材との連結部分に用いてよく、また、摩耗による劣化がみられる綱部材３の一部分を補強するために用いてもよい。
さらに、本実施形態では、綱部材３のヤーンを２ｍｍ、ストランドを１２ｍｍ、綱部材３を２５ｍｍの径とし、編組体５Ａ、５Ｂの外径を４０ｍｍ、内径を２５ｍｍとし、これを構成する紐のヤーンを１．５ｍｍ、ストランドを３．５ｍｍの径としたが、これに限らず、綱部材３の外周面に対して編組体５Ａ、５Ｂの内面が自然長で係合するものであって、この係合が編組体５Ａ、５Ｂを短くすることで解除、又は小さくなるものとすれば好ましい。
また、漁網１は巻取装置により巻き取るものに限らず、人力により巻き取られるもの、また、船により引っ張られるものであってもよい。
【符号の説明】
【００３２】
１            漁網
２            網地
２Ａ          枠綱
３            綱部材
４            単位綱部材
４ａ、４ｂ    輪状部
５Ａ、５Ｂ    編組体
６            浮子
７Ａ          固定用紐（網地用）
７Ｂ          固定用紐（編組体用）
７Ｃ          固定用紐（単位綱部材連結用）
７Ｄ          固定用紐（浮子用）
８Ａ、８Ｂ    ロープ
【図１】
0003157387.tif 000003
【図２】
0003157387.tif 000004
【図３】
0003157387.tif 000005
【手続補正書】
【提出日】平成21年11月27日(2009.11.27)
【手続補正１】
【補正対象書類名】実用新案登録請求の範囲
【補正対象項目名】全文
【補正方法】変更
【補正の内容】
【実用新案登録請求の範囲】
【請求項１】
両端部に輪形状の輪状部を形成した綱部材と、該綱部材を縁部に取り付けた網地とを有する漁網であって、
前記輪状部が、前記綱部材を構成するロープの端部に筒状の編組体を挿通した状態で、該編組体と共に前記ロープの端部を輪形状としたものであり、
前記編組体が、平目状又は綾目状に紐部材を編み組んで筒状に形成したことを特徴とする漁網。
【請求項２】
前記綱部材が、直線状に連結した複数の単位綱部材からなり、前記単位綱部材の連結部分を構成する単位綱部材の端部にも前記輪状部を形成した請求項１記載の漁網。
【請求項３】
前記ロープの途中部に、前記編組体を挿通固定し、該編組体に水面に浮かぶ浮子を取り付けた請求項１又は２の何れかに記載の漁網。
【請求項４】
前記編組体が紐状の結束具を用いて前記ロープに固縛されてなる請求項１〜３の何れか１項に記載の漁網。
【請求項５】
前記編組体を構成する前記紐部材の単又は複数本の色を変えることで、前記編組体の内径サイズを示すものとした請求項１〜４の何れか１項に記載の漁網。
【請求項６】
前記編組体が防藻剤を含有する繊維からなる請求項１〜５の何れか１項に記載の漁網。
【手続補正２】
【補正対象書類名】明細書
【補正対象項目名】０００７
【補正方法】変更
【補正の内容】
【０００７】
上述の課題を解決するために、本考案に係る漁網は、両端部に輪形状の輪状部を形成した綱部材と、該綱部材を縁部に取り付けた網地とを有する漁網であって、前記輪状部が、前記綱部材を構成するロープの端部に筒状の編組体を挿通した状態で、該編組体と共に前記ロープの端部を輪形状としたものであり、前記編組体が、平目状又は綾目状に紐部材を編み組んで筒状に形成したことを特徴とするものである。